(57)【要約】      （修正有）【課題】耐腐食性および防爆性が向上し、かつ、開閉部材の解錠状態を外部から容易に確認することが可能な薬品収納庫およびそれを用いた薬品管理システムを提供する。【解決手段】薬品収納庫１は、複数の収納室を有する薬品収納庫本体７と、収納室に設けられた抽斗８と、抽斗８を施錠および解錠する回転プレート２６およびそれを駆動するエアシリンダ１０を含む錠機構９と、収納庫本体７の外部から内部に延在するとともに錠機構９のエアシリンダ１０に空気を供給する第１空気供給部３１と、錠機構９の回転プレート２６施錠状態および解錠状態を表示するインジケータ１１であって、空気圧によって解錠表示状態と施錠表示状態との間を切り換えることが可能なインジケータ１１と、収納庫本体７内部における第１空気供給部３１から分岐してインジケータ１１に空気を供給する第２空気供給部３２とを備えている。【選択図】図１
0003181423.tif 000002
【実用新案登録請求の範囲】
【請求項１】
薬品が収納可能な少なくとも１つの収納室を有する薬品収納庫本体と、
前記薬品収納庫本体の前記収納室の開口を開閉する開閉部材と、
空気圧により駆動するエアシリンダ、及びこのエアシリンダによって作動して閉鎖状態にある前記開閉部材に係合する施錠状態とこの係合を解除する解錠状態とを切換可能な係合部材を含むとともに、前記収納庫本体内部に設けられた錠機構と、
前記収納庫本体の外部から内部に延在するとともに前記錠機構のエアシリンダに空気を供給する第１空気供給部と、
前記錠機構の係合部材における前記各状態を表示するインジケータであって、空気圧によって解錠表示状態と施錠表示状態との間を切換可能なインジケータと、
前記収納庫本体内部における前記第１空気供給部から分岐して前記インジケータに空気を供給する第２空気供給部と
を備えている、
ことを特徴とする薬品収納庫。
【請求項２】
前記薬品収納庫本体の内部の空間を仕切ることにより、複数の前記収納室を形成する仕切り板をさらに備えている、請求項１に記載の薬品収納庫。
【請求項３】
前記仕切り板には、収納室間で空気の連通を可能にする複数の小穴またはスリットが形成されている、請求項１に記載の薬品収納庫。
【請求項４】
請求項１に記載の薬品収納庫を用いた薬品管理システムであって、
薬品を保管するための薬品保管領域に設置された前記薬品収納庫であって、前記第１空気供給部が、前記薬品保管領域から当該薬品保管領域との空気の流通が遮断された隔離領域まで延びる前記薬品収納庫と、
前記隔離領域に設置され、前記第１空気供給部に接続され、前記第１空気供給部へ圧縮空気の供給を行うコンプレッサと、
前記隔離領域の内部において前記第１空気供給部の途中に設置され、前記第１空気供給部における空気の流通の遮断および開放を切り換える電磁弁と
を備えた薬品管理システム。
【請求項５】
前記隔離領域に設置され、前記解錠操作を行う個人の認証を行う認証部と、
前記隔離領域に設置され、前記認証部によって解錠操作を許された個人であると認証された結果に基づいて前記電磁弁に対して開閉制御を行う制御部と
をさらに備えている、
請求項４に記載の薬品管理システム。
【考案の詳細な説明】
【技術分野】
【０００１】
本考案は、扉または抽斗などの開閉部材が施錠される薬品収納庫、およびそれを用いた薬品管理システムに関する。
【背景技術】
【０００２】
従来、薬品を保管管理するための薬品収納庫は、部外者による薬品の無断使用を防止するために、扉または抽斗などの開閉部材を施錠して厳しく管理している。
【０００３】
具体的には、従来の薬品収納庫として、特許文献１記載のように、前面が開口し、内部に薬品を収納する収納室を複数有する本体と、この本体の開口を開閉する扉と、本体に内蔵され、各扉を施錠するロック手段とを備えたものが知られている。このロック手段は、各扉に係合して該扉を施解錠するロックピンと、このロックピンを動作させるための制御回路とを有し、制御回路の電源からの電力により駆動する、いわゆる電気錠として構成されている。
【先行技術文献】
【特許文献】
【０００４】
【特許文献１】特開平８−１２０９８９号公報
【考案の概要】
【考案が解決しようとする課題】
【０００５】
しかし、このようなロック手段の制御回路に含まれるコイルやスイッチ等の電子部品は、通常、薬品収納庫本体内部の空気に曝露されており、薬品収納庫をこのまま揮発性薬品などの収納に用いたのでは、これらの薬品から生じる蒸気雰囲気によって腐食されやすく、動作不具合を起こす可能性が高い。また、揮発性薬品などから生じる蒸気雰囲気が可燃性を有する場合には、曝露された電子部品の接点部分などから生じる電気火花によって引火して爆発するおそれもある。この点を鑑みて、上記電子部品について耐腐食加工および防爆加工を施した電子部品を用いることも考えられるが、通電性を担保させながら耐腐食性および防爆性を向上させるには、製造コストが高くなるという問題がある。
【０００６】
一方、上記のように複数の扉を有する薬品収納庫を用いた場合には、扉の解錠状態が判別できず、利便性に劣るという問題がある。
【０００７】
本考案は、上記のような事情に鑑みてなされたものであり、耐腐食性および防爆性が向上し、かつ、開閉部材の解錠状態を外部から容易に確認することが可能な薬品収納庫およびそれを用いた薬品管理システムを提供することを目的とする。
【課題を解決するための手段】
【０００８】
上記課題を解決するためのものとして、本考案の薬品収納庫は、薬品が収納可能な少なくとも１つの収納室を有する薬品収納庫本体と、前記薬品収納庫本体の前記収納室の開口を開閉する開閉部材と、空気圧により駆動するエアシリンダ、及びこのエアシリンダによって作動して閉鎖状態にある前記開閉部材に係合する施錠状態とこの係合を解除する解錠状態とを切換可能な係合部材を含むとともに、前記収納庫本体内部に設けられた錠機構と、前記収納庫本体の外部から内部に延在するとともに前記錠機構のエアシリンダに空気を供給する第１空気供給部と、前記錠機構の係合部材における前記各状態を表示するインジケータであって、空気圧によって解錠表示状態と施錠表示状態との間を切換可能なインジケータと、前記収納庫本体内部における前記第１空気供給部から分岐して前記インジケータに空気を供給する第２空気供給部とを備えている、ことを特徴とする。
【０００９】
かかる構成によれば、薬品収納庫の扉または抽斗などの開閉部材を施錠および解錠するための錠機構は、空気圧によって施錠状態と解錠状態とを切り換えることが可能である。具体的には、錠機構は、薬品収納庫本体の内部に設けられ、当該薬品収納庫本体の外部から導入される空気が第１空気供給部を介して錠機構のエアシリンダに供給され、このエアシリンダの駆動力によって開閉部材と係合する係合部材を解錠状態に切り換えることが可能である。このような錠機構は、従来のソレノイド等の電子部品を用いた構造と比較して腐食しやすい通電部材を使用していないので、薬品から生じる雰囲気の影響を受けにくく耐腐食性が向上し、腐食による動作不良も低減する。しかも、通電部材を使用していないことによって、電気火花が生じることがなく、防爆性も向上する。そのため、錠機構を安価な空圧部品で構成することが可能になり、耐腐食性および防爆性の高い電子部品を用いるよりも製造コストを低減することが可能になる。
【００１０】
しかも、薬品収納庫本体の外部から導入された空気は、薬品収納庫本体の内部において第１空気供給部から分岐した第２空気供給部を介してインジケータに供給され、このインジケータは、錠機構の解錠操作と連動して空気圧を利用して施錠状態から解錠状態に切り換えて解錠状態を表示することが可能である。これにより、薬品収納庫内部では一切の電気制御を行わずに、解錠状態の確認を確実に行うことが可能である。よって、利便性が大幅に向上する。
【００１１】
しかも、上記のように第２空気供給部が薬品収納庫本体の内部において第１空気供給部から分岐しているので、当該分岐部分の下流側の空気流路は薬品収納庫本体で保護される。したがって、当該分岐部分の下流側の空気流路が薬品収納庫本体の外部の障害物等に接触して破損することがなく、錠機構のエアシリンダおよびインジケータを確実に連動させることが可能である。
【００１２】
さらに、第２空気供給部が薬品収納庫本体の内部において第１空気供給部から分岐しているので、薬品収納庫本体の外部において第２空気供給部のための配管作業が不要になるので、薬品収納庫を設置する際の作業効率が向上する。
【００１３】
また、前記薬品収納庫本体の内部の空間を仕切ることにより、複数の前記収納室を形成する仕切り板をさらに備えているのが好ましい。
【００１４】
かかる構成によれば、複数の収納室の間は仕切り板で仕切られているので、ある収納室の開閉部材が解錠状態であっても、その収納室の中から隣の収納室へ手を伸ばして不正に薬品を取り出すことを防ぐことが可能である。
【００１５】
また、前記仕切り板には、収納室間で空気の連通を可能にする複数の小穴またはスリットが形成されているのが好ましい。
【００１６】
かかる構成によれば、仕切り板に形成された複数の小穴またはスリットによって、収納室間における空気の連通が確保されるので、複数の開閉部材のうちのいずれか１つが開閉することによって、仕切り板によって仕切られた収納室間においても複数の小穴またはスリットを通して空気が流れ、それにより、収納室内部で残留する薬品の雰囲気が複数の収納室の開口のうちのいずれか１つから外部へ排出しやすくなる。
【００１７】
また、前記薬品収納庫を用いた薬品管理システムは、上記の薬品収納庫を用いた薬品管理システムであって、薬品を保管するための薬品保管領域に設置された前記薬品収納庫であって、前記第１空気供給部が、前記薬品保管領域から当該薬品保管領域との空気の流通が遮断された隔離領域まで延びる前記薬品収納庫と、前記隔離領域に設置され、前記第１空気供給部に接続され、前記第１空気供給部へ圧縮空気の供給を行うコンプレッサと、前記隔離領域の内部において前記第１空気供給部の途中に設置され、前記第１空気供給部における空気の流通の遮断および開放を切り換える電磁弁とを備えていることを特徴とする。
【００１８】
かかる構成によれば、薬品収納庫に第１空気供給部を介して圧縮空気を供給するコンプレッサおよび当該空気の流通を遮断開放する電磁弁などの電気機器が薬品収納庫が設置された薬品保管領域から隔離されているので、これらのコンプレッサおよび電磁弁が薬品収納庫に収納された薬品の雰囲気によって腐食することを防止し、動作不良が生じるおそれを低減することが可能である。
【００１９】
また、電磁弁の開閉によって第１空気供給部における空気の流通を制御することにより、薬品保管領域に設置された薬品収納庫の錠機構およびインジケータを遠隔操作することが可能になるので、薬品収納庫の施錠解錠の管理を薬品保管領域から隔離された隔離領域から容易に行うことが可能になる。
【００２０】
また、前記隔離領域に設置され、前記解錠操作を行う個人の認証を行う認証部と、前記隔離領域に設置され、前記認証部によって解錠操作を許された個人であると認証された結果に基づいて前記電磁弁に対して開閉制御を行う制御部とをさらに備えているのが好ましい。
【００２１】
かかる構成によれば、薬品保管領域から隔離された隔離領域において、認証部によって解錠操作を行う個人を認証し、その認証結果に基づいて、制御部が電磁弁の開閉制御を行って薬品収納庫の施錠解錠を行うことが可能であり、薬品の不正使用を確実に防止することが可能である。しかも、これらの認証部および制御部は薬品収納庫が設置された薬品保管領域から隔離されているので、当該認証部および制御部を構成する電子部品が薬品収納庫に収納された薬品の雰囲気によって腐食して動作不良が生じるおそれを低減することが可能である。
【考案の効果】
【００２２】
以上説明したように、本考案の薬品収納庫によれば、耐腐食性および防爆性が向上することができる。しかも、開閉部材の解錠状態を外部から容易に確認することができる。
【００２３】
また、本考案の薬品管理システムによれば、コンプレッサおよび電磁弁が薬品収納庫に収納された薬品の雰囲気によって腐食することを防止し、動作不良が生じるおそれを低減することができる。しかも、薬品保管領域に設置された薬品収納庫の錠機構およびインジケータを遠隔操作することが可能になるので、薬品収納庫の施錠解錠の管理を薬品保管領域から隔離された隔離領域から容易に行うことができる。
【図面の簡単な説明】
【００２４】
【図１】本考案の薬品収納庫の全体構成を模式的に示すブロック図である。
【図２】図１の薬品収納庫本体および抽斗を示す拡大斜視図である。
【図３】図１の薬品収納庫本体内部を示す断面図である。
【図４】図３の回転プレートおよび当該回転プレートを駆動するエアシリンダの配置を示す拡大斜視図である。
【図５】図１のソレノイドバルブ、エアシリンダおよびインジケータの空気流路を模式的に示す図である。
【図６】図５のソレノイドバルブを作動させて解錠状態に切り換えたときのエアシリンダおよびインジケータの動作を模式的に示す図である。
【図７】図６の解錠状態における薬品収納庫本体内部の状態を示す断面図である。
【図８】図５のソレノイドバルブを施錠状態に復帰させたときのエアシリンダおよびインジケータの動作を模式的に示す図である。
【図９】図３の抽斗が開いているときに一定時間経過して回転プレートが施錠状態に戻った状態を示す断面図である。
【考案を実施するための形態】
【００２５】
つぎに、図面を参照しながら本考案の薬品収納庫１およびそれを用いた薬品管理システムについてさらに詳細に説明する。
【００２６】
図１に示される薬品管理システムは、薬品収納庫１と、コンプレッサ３と、ソレノイドバルブ４と、認証部５と、薬品管理パーソナルコンピュータ６（以下、薬品管理ＰＣ６という）とから構成されている。
【００２７】
薬品収納庫１は、薬品を保管するための薬品管理領域Ａに設置されている。薬品収納庫１に揮発性薬品を収納した場合には、その薬品から生じる蒸気雰囲気によって薬品管理領域Ａ内部にある電子部品などが腐食しやすくなる。上記のシステムにおける薬品収納庫１は、複数の抽斗８にそれぞれ錠機構９が設けられ、各抽斗８に対応する後述する第１空気供給部３１の空気流入管２を介して供給される空気の圧力を利用して、エアシリンダ１０による錠機構９の回転プレート２６の解除（解錠）およびインジケータ１１による当該解錠の表示を同時に行うことが可能である。このように、薬品収納庫１は、電気によって作動する部品を一切有していない耐腐食性および防爆性の高い構造を有しているので、薬品を保管するための薬品管理領域Ａに設置することが可能である。
【００２８】
一方、電気によって作動するその他の機器、すなわち、コンプレッサ３と、ソレノイドバルブ４と、認証部５と、薬品管理ＰＣ６は、薬品保管領域Ａと空気の流通が遮断された隔離領域Ｂに設置されている。したがって、これらコンプレッサ３等は、薬品収納庫１が保管された薬品管理領域Ａ内部に残留する薬品の雰囲気に接触させないように当該薬品管理領域Ａから隔離して配置することが可能である。
【００２９】
上記の隔離領域Ｂは、薬品保管領域Ａと空気の流通が遮断されている領域であればよく、例えば、薬品保管領域Ａとなる部屋とは異なる部屋であって、部屋間を仕切る壁によって空気の流通が遮断されている部屋だけでなく、薬品保管領域Ａと同一の部屋であっても、エアカーテンなどの空気流発生手段によって空気の流通が遮断された領域であってもよい。さらに、部屋が非常に広い場合には、薬品保管領域Ａから十分に離れた距離、具体的には、薬品保管領域Ａにある薬品から生じる蒸気雰囲気が十分に希薄になって電子部品等への影響がほとんどないぐらいまで離れ、実質的に薬品保管領域Ａと空気の流通が遮断されている距離に、隔離領域Ｂを設定してもよい。さらに、ある領域から薬品保管領域Ａへ常時空気が流れるような環境であれば、そのような薬品保管領域Ａの上流側の領域は、薬品保管領域Ａから当該領域へ向かう空気の流れが生じず、薬品保管領域Ａにある薬品から生じる蒸気雰囲気からの影響を受けないので、隔離領域Ｂとして設定されてもよい。
【００３０】
薬品収納庫１は、具体的には、図１〜３に示されるように、薬品収納庫本体７と、抽斗８と、錠機構９と、第１空気供給部３１と、インジケータ１１と、第２空気供給部３２とを備えている。
【００３１】
第１空気供給部３１は、収納庫本体７の外部から内部に延在するとともに錠機構９のエアシリンダ１０に空気を供給する空気流路の部分であり、空気流入管２と、分配管１２の導入部１２ａおよび主排出部１２ｂと、第１連通管１３とから構成されている。
【００３２】
第２空気供給部３２は、収納庫本体内部における第１空気供給部３１から分岐して前記インジケータに空気を供給する空気流路の部分であり、分配管１２の副排出部１２ｃと、
第２連通管１４とから構成されている。
【００３３】
薬品収納庫本体７は、直方体の筐体７１と、筐体７１内部の空間を上下に仕切る上部仕切り板２０と、筐体７１内部の下部空間２３のうち後方側の空間(後方空間２４)を残して前方側の空間（前方空間２５）を左右に仕切って複数の収納室１５を形成する複数の仕切り板１６と、前記後方空間２４において筐体７１の左右両側壁に架設された支持部材１８と、各収納室１５に収容された抽斗８を前後方向Ｃに案内するレール２１とを備えている。
【００３４】
筐体７１は、内部空間を有しており、その内部空間は、図３に示されるように、薬品収納庫本体７の内部の上側に配置された上部仕切り板２０によって、上下に並ぶ２つの空間、すなわち、上部空間１９と下部空間２３とに仕切られている。上部空間１９には、分配管１２および第２連通管１４が収納され、当該上部空間１９は、一方向（本実施形態では、上方）に開放可能に構成されている。具体的には、筐体７１は、上方が開放された直方体の筐体本体７１ａと、筐体本体７１ａの上端開口を閉塞し、筐体７１の上面を構成する天板７１ｂとを備えている。天板７１ｂは、筐体本体７１ａに対して脱着可能に固定されている。本実施形態では、天板７１ｂが筐体本体７１ａに対して錠（図示せず）によって施錠され、管理者以外の者が当該天板７１ｂを開閉できないような構成になっている。なお、天板７１ｂは、ねじなどの締結具によって筐体本体７１ａに対して固定されてもよい。
【００３５】
上部仕切り板２０には、上部空間１９と下部空間２３とを連通する開口２０ａが形成されている。第１連通管１３は、開口２０ａを通して上部空間１９から下部空間２３へ延びている。
【００３６】
下部空間２３のうち前方の領域は、図２〜３に示されるように、垂直方向に立設された複数の仕切り板１６によって仕切られ、仕切られた各空間によって、薬品を搭載した抽斗８を収納可能な複数の収納室１５が構成されている。薬品収納庫本体７の前面７ａには、収納室１５に連通する開口７ｂがそれぞれ形成されている。開口７ｂは、縦長の細長い矩形形状を有する。一方、下部空間２３のうち後方の領域には、仕切り板１６によって仕切られていない後方空間２４が形成されている。本実施形態では、後方空間２４は、各収納室１５に連通している。
【００３７】
仕切り板１６は、筐体７１の底板と上部仕切り板２０との間に延びる平板である。なお、仕切り板１６の奥行きは、前方空間２５の寸法、すなわち抽斗８の大きさに応じて適宜設定される。
【００３８】
仕切り板１６には、収納室１５間で空気の連通を可能にする複数の小穴１７が形成されている。なお、小穴１７の代わりにスリットを形成してもよい。なお、ここでいう小穴１７とは、具体的には、指または手が入らない程度の大きさを有する貫通孔のことをいう。
【００３９】
また、図３〜４に示されるように、薬品収納庫本体７の内部の奥側の後方空間２４には、錠機構９およびエアシリンダ１０を支持するための支持部材１８が設けられている。
【００４０】
支持部材１８は、複数の収納室１５が並ぶ方向（図３の紙面垂直方向）に沿って延びる長尺の部材であり、薬品収納庫本体７の内部において仕切り板１６よりも奥側（図３において左側）の後方空間２４に配置されている。支持部材１８の両端部は、薬品収納庫本体７を構成する筐体の両側の側壁７２（図２参照）の内面に固定されている。支持部材１８は、錠機構９の回転プレート２６を支持する第１支持部１８ａと、当該第１支持部１８ａから下方に離間して錠機構９のエアシリンダ１０を支持する第２支持部１８ｂと、当該第１支持部１８ａと第２支持部１８ｂとの間を連結する連結部１８ｃとから構成されている。支持部材１８は、薄板の金属材料によって、第１支持部１８ａ、第２支持部１８ｂおよび連結部１８ｃが一体形成されることにより製造されている。
【００４１】
第１支持部１８ａは、水平に延び、その上面において、回転プレート２６を施錠状態において水平方向を向くように支持する。第２支持部１８ｂは、第１支持部１８ｂの長さよりも長く、第１支持部１８ａの下方において当該第１支持部１８ａの先端よりも前方（すなわち、抽斗８に近い方）に突出するように水平方向に延びている。第２支持部１８ｂは、第１支持部１８ａよりも前方に突出している部分でエアシリンダ１０を回転プレート２６に向けて垂直に立てた状態で支持している。第２支持部１８ｂによって支持されたエアシリンダ１０は、図４に示されるように、回転プレート２６の下方であって、回転軸２７と回転プレート２６の係合孔２６ａとの間の位置に立てられた状態で配置される。これにより、エアシリンダ１０は、回転プレート２６を係合孔２６ａよりも回転軸２７に近い位置で押し上げることができ、エアシリンダ１０は小さい駆動力で確実に回転プレート２６を押し上げて解錠状態へ移動させることが可能である。
【００４２】
さらに、抽斗８を前後方向Ｃ（図３参照）に案内するための案内部材として、例えば、薬品収納庫本体７の各収容室１５の下側には、一対のレール２１が設置されている。レール２１は、薬品収納庫本体７の前後方向Ｃに延びるように、薬品収納庫本体７の筐体７１の前壁７３および後壁７４（図３参照）のそれぞれの内面に固定されている。なお、レール２１などの案内部材は、収容室１５の下側だけでなく、上側に設置してもよい。
【００４３】
抽斗８は、薬品収納庫本体７の収納室１５の開口７ｂから前方へ引き出して当該開口７ｂを開閉できる開閉部材であり、薬品収納庫本体７の各収納室１５の内部にそれぞれ収納されている。具体的には、抽斗８は、薬品収納庫本体７の収納室１５の内部において、一対のレール２１によって前後方向Ｃに移動可能に案内されている。
【００４４】
抽斗８は、図２〜３に示されるように、薬品収納庫本体７の開口７ｂの形状に対応し、当該開口７ｂを閉塞することが可能な外形形状を有する前板８ａと、当該前板８ａから後方に離間した位置に配置された後板８ｂと、前板８ａと後板８ｂとをそれぞれの上部同士を連結する上板８ｃと、前板８ａと後板８ｂとをそれぞれの下部同士を連結する底板８ｄと、薬品容器Ｄを収納可能な収納棚８ｅとを備えている。収納棚８ｅは、上板８ｃと底板８ｄとの間の位置で水平に延びるように、前板８ａおよび後板８ｂにそれぞれ固定されている。収納棚８ｅは、本実施形態のように上板８ｃと底板８ｄとの間に一段設置するだけでなく、複数段設置してもよく、また、前板８ａと後板８ｂとで挟まれた領域全体を占める大きさの大型の収納棚を設置してもよい。
【００４５】
さらに、抽斗８の後板８ｂの上端面には、後述する錠機構９の回転プレート２６に係合する突起２２（図３〜４参照）が上方に突出するように設けられている。
【００４６】
錠機構９は、各収納室１５に収納された抽斗８を個別に施錠および解錠するものであり、後方空間２４において各収納室１５の後方の位置に配置されている。具体的には、図３〜４に示されるように、錠機構９は、空気圧により駆動するエアシリンダ１０と、当該エアシリンダ１０の駆動力によって上方へ回転する回転プレート２６と、当該回転プレート２６を回転自在に支持する回転軸２７と、当該回転プレート２６に対して下方へ回転する向きに回転力を付勢する回転バネ２８と、回転軸２７を回転自在に支持する一対の軸受部２９とを備えている。
【００４７】
回転プレート２６は、平板状の部材からなり、抽斗８の後板８ｂから上方に突出する突起２２（図３〜４参照）に係合可能な係合孔２６ａを有している。
【００４８】
さらに、回転プレート２６の先端部には、上方へ突出する上方突出部２６ｂが設けられている。さらに、回転プレート２６の後端部には、回転軸２７が挿入される筒部２６ｃが設けられている。
【００４９】
一対の軸受部２９は、支持部材１８の第１支持部１８ａの上面において回転プレート２６の両側に配置されるように設置されている。回転軸２７の両端部は、これらの一対の軸受部２９によって回転自在に支持されている。これにより、回転プレート２６は、水平に延びる第１支持部１８ａの上面において、施錠状態において水平方向を向くように支持される。なお、軸受部２９は、第１支持部１８ａの一部を折り返して筒状に形成したものであってもよい。
【００５０】
回転プレート２６は、図３〜４に示される施錠位置では、水平方向に延びており、係合孔２６ａは、抽斗８の上方に突出する突起２２に係合している。この状態では、回転プレート２６は、施錠位置を維持するように、回転バネ２８によって下方へ付勢されている。
【００５１】
一方、図７に示されるように、回転プレート２６が回転バネ２８の付勢力に抗して後述するエアシリンダ１０のロッド部１０ｃによって上方へ突き上げられたときには、回転プレート２６は、反時計方向に回転して突起２２との係合が解除され、抽斗８を引き出すことが可能である。
【００５２】
このように、回転プレート２６は、エアシリンダ１０の駆動力によって回転軸２７回りに回転することが可能であり、閉鎖状態にある抽斗８の突起２２に係合する施錠状態とこの係合を解除する解錠状態とを切り換えることが可能である。上記の回転プレート２６は、本考案の係合部材に対応する。
【００５３】
上記の回転プレート２６を駆動するエアシリンダ１０は、図３〜５に示されるように、シリンダ部１０ａと、シリンダ部１０ａの内部に収納されたピストン部１０ｂと、ピストン部１０ｂに連結されたロッド部１０ｃと、ピストン１０ｂに初期位置へ復帰させる付勢力を与える復帰用のコイルバネ１０ｄとを備えている。ロッド部１０ｃの先端部は、シリンダ部１０ａの前壁１０ａ１に形成された貫通孔１０ａ２を通してシリンダ部１０ａの外部に突出している。そして、ロッド部１０ｃの根元側端部は、ピストン部１０ｂの前面に固定され、ロッド部１０ｃおよびピストン部１０ｂは、一体になって往復移動することが可能である。コイルバネ１０ｄは、シリンダ部１０ａの内部に収納され、シリンダ部１０ａの前壁１０ａ１とピストン部１０ｂとの間に配置されている。これにより、ピストン部１０ｂは、コイルバネ１０ｄによって、ロッド部１０ｃがシリンダ部１０ａの内部に引っ込められる方向へ付勢される。
【００５４】
シリンダ部１０ａの内部空間のうち、ピストン部１０ｂよりも後方側の空間１０ｅは、第１連通管１３に連通している。したがって、当該連通管１３を通してシリンダ部１０ａの内部に圧縮空気が供給されることにより、コイルバネ１０ｄの付勢力に抗してピストン部１０ｂおよびそれに連結されたロッド部１０ｃを前方へ押し出すことが可能であり、一方、圧縮空気の供給を停止すれば、コイルバネ１０ｄの付勢力によってピストン部１０ｂおよびロッド部１０ｃを初期状態まで押し戻すことが可能である。
【００５５】
エアシリンダ１０のシリンダ部１０ａは、図３に示されるように、薬品収納庫本体７に固定された支持部材１８の第２支持部１８ｂ、具体的には、水平方向に延びる第２支持部１８ｂにおける第１支持部１８ａよりも前方に突出している部分に対して、垂直に立てられた状態で固定され、これにより、回転プレート２６の下方であって、回転軸２７と係合孔２６ａとの間の位置に配置される。
【００５６】
エアシリンダ１０は、耐腐食性および防爆性を向上させるために、上記の各構成部品がそれぞれ溶融亜鉛メッキなどの耐腐食用の表面処理を施されるか、または耐腐食性および防爆性の高い高耐食性ステンレス鋼などの材料で製造されている。
【００５７】
インジケータ１１は、錠機構９の回転プレート２６の施錠状態および解錠状態を表示するものであり、図１〜３に示されるように、薬品収納庫本体７の前面７ａにおいて、各収納室１５に連通する開口７ｂのそれぞれ上方の位置に当該インジケータ１１の先端部（すなわち、後述するシリンダ部１１ａの前壁１１ａ１付近の部分および透明ケース１１ｅ）が配置されている。インジケータ１１は、図５〜６に示されるように、シリンダ部１１ａと、解錠表示状態と施錠表示状態との間を移動できるようにシリンダ部１１ａの内部に収納された表示体１１ｂと、表示体１１ｂに連結し、ケーシング１１に収納されたピストン１１ｃと、ピストン１１ｃに初期位置へ復帰させる付勢力を与える復帰用のコイルバネ１１ｄと、透明ケース１１ｅとを備えている。表示体１１ｂの先端部１１ｂ１は、赤色などの目立つ色に着色されている。
【００５８】
シリンダ部１１ａは、細長い筒状の密閉容器からなり、その前壁１１ａ１には、表示体１１ｂの先端部１１ｂ１が出没する貫通孔１１ａ２が形成されている。
【００５９】
透明ケース１１ｅは、シリンダ部１１ａの前壁１１ａ１の外面に配置されている。透明ケース１１ｅは、前壁１１ａ１の前方の空間を覆う。透明ケース１１ｅは、表示体１１ｂの先端部１１ｂ１が前壁１１ａ１の貫通孔１１ａ２を通してシリンダ部１１ａの外部に突出した状態のときに、その先端部１１ｂ１を保護することが可能である。
【００６０】
表示体１１ｂの根元側端部は、ピストン部１１ｃの前面に固定され、表示体１１ｂおよびピストン部１１ｃは、一体になって往復移動することが可能である。コイルバネ１１ｄは、シリンダ部１１ａの内部に収納され、シリンダ部１１ａの前壁１１ａ１とピストン部１１ｃとの間に配置されている。これにより、ピストン部１１ｃは、コイルバネ１１ｄによって、表示体１１ｂがシリンダ部１１ａの内部に引っ込められる方向へ付勢される。
【００６１】
図５に示される施錠表示状態では、表示体１１ｂの先端部１１ｂ１は、シリンダ部１１ａの前壁１１ａ１よりも後方側に位置し、シリンダ部１１ａの内部に収納されているので、外部から見えない状態になっている。一方、図６に示される解錠表示状態では、表示体１１ｂの先端部１１ｂ１は、シリンダ部１１ａの前壁１１ａ１の貫通孔１１ａ２を通してシリンダ部１１ａの外部に突出するので、当該先端部１１ｂ１は、透明ケース１１ｅを通して容易に視認することが可能である。
【００６２】
インジケータ１１についても、上記のエアシリンダ１０と同様に、空気圧を与えることによって動作することが可能である。すなわち、シリンダ部１１ａの内部空間のうち、ピストン部１１ｃの後方側の空間１１ｆは、第２連通管１４に連通している。したがって、当該連通管１４を通してシリンダ部１１ａの内部に圧縮空気が供給されることにより、コイルバネ１１ｄの付勢力に抗してピストン部１１ｃおよびそれに連結された表示体１１ｂを前方へ押し出して施錠表示状態まで移動させることが可能であり、一方、圧縮空気の供給を停止すれば、コイルバネ１１ｄの付勢力によってピストン部１１ｃおよび表示体１１ｂを初期状態すなわち、施錠表示状態まで押し戻すことが可能である。
【００６３】
また、本実施形態では、エアシリンダ１０とインジケータ１１とが空気圧によって確実に連動するために、エアシリンダ１０およびインジケータ１１の作動圧力が同じになるように設定されているのが好ましい。
【００６４】
インジケータ１１もエアシリンダ１０と同様に、耐腐食性および防爆性を向上させるために、上記の各構成部品がそれぞれ溶融亜鉛メッキなどの耐腐食用の表面処理を施されるか、または耐腐食性および防爆性の高い高耐食性ステンレス鋼などの材料で製造されている。
【００６５】
分配管１２は、Ｙ字状に分岐した管からなり、図１に示されるように、導入部１２ａと、当該導入部１２ａに連通する主排出部１２ｂと、その主排出部１２ｂから分岐する副排出部１２ｃとを有する。導入部１２ａは、薬品収納庫本体７の外部から空気を導入可能な導入口１２ａ１を有する。主排出部１２ｂは、導入口１２ａ１から導入された空気を排出する主排出口１２ｂ１を有し、同様に、副排出部１２ｃは、導入口１２ａ１から導入された空気を排出する副排出口１２ｃ１を有する。
【００６６】
第１連通管１３は、分配管１２の主排出口１２ｂ１とエアシリンダ１０（具体的には、そのシリンダ部１０ａの空間１０ｅ）との間を連通させる。
【００６７】
第２連通管１４は、分配管１２の副排出口１２ｃ１とインジケータ１１（具体的には、そのシリンダ部１１ａの空間１１ｆ）との間を連通させる。
【００６８】
コンプレッサ３は、薬品収納庫１が設置された薬品保管領域Ａから空気の流通が遮断された隔離領域Ｂに設置され、複数の抽斗８の各々に対応する空気流入管２へ圧縮空気の供給を行う。
【００６９】
ソレノイドバルブ４は、隔離領域Ｂの内部であって、第１空気供給部３１の途中、具体的には、各空気流入管２の途中に設置された電磁弁である。ソレノイドバルブ４は、空気流入管２における空気の流通の遮断および開放を切り換えることが可能な構造を有する。
【００７０】
ソレノイドバルブ４は、具体的には、図５に示されるように、いわゆる三方ソレノイドバルブからなり、ケーシング４ａと、ケーシング４ａ内部に往復移動自在に収納されたバルブ本体４ｂと、バルブ本体４ｂを空気供給状態へ移動させるソレノイドコイル４ｃと、バルブ本体４ｂを空気遮断状態へ復帰させるコイルバネ４ｄと、空気遮断状態において空気流入管２の下流部分２ｂ側の空気を外部に抜くためのエア抜き通路４ｅとを備える。
【００７１】
バルブ本体４ｂは、空気流入管２における空気の流通を許す空気供給部分４ｂ１と、空気流入管２の空気の流通を遮断する空気遮断部分４ｂ２とを有する。空気供給部分４ｂ１は、空気流入管２の上流部分２ａと下流部分２ｂとの間を連通する連通部分４ｂ３と、エア抜き通路４ｅを遮断する遮断部４ｂ４とを有する。一方、空気遮断部分４ｂ２は、空気流入管２の下流部分２ｂとエア抜き通路４ｅの間を連通する逆流部分４ｂ５と、空気流入管２の上流部分２ａを遮断する遮断部４ｂ６とを有する。
【００７２】
ソレノイドコイル４ｃに通電されない状態では、図５に示されるように、バルブ本体４ｂは、空気遮断状態の位置にある。このとき、バルブ本体４ｂの空気遮断部分４ｂ２が空気流入管２の間に位置している。したがって、この空気遮断部分４ｂ２の遮断部４ｂ６によって、コンプレッサ３に連通する空気流入管２の上流側の部分２ａは遮断されている。
【００７３】
一方、ソレノイドコイル４ｃに通電することにより、図６に示されるように、バルブ本体４ｂは、空気供給状態の位置に移動する。このとき、バルブ本体４ｂの空気供給部分４ｂ１が空気流入管２の間に位置している。したがって、この空気供給部分４ｂ１の連通部分４ｂ３が、空気流入管２の上流部分２ａと下流部分２ｂとの間を連通させることにより、空気流入管２を通してコンプレッサ３から薬品収納庫本体７内部への空気の流通が可能になる。このとき、エア抜き通路４ｅは、遮断部４ｂ４によって遮断されている。
【００７４】
さらに、ソレノイドコイル４ｃの通電が切れたときには、図８に示されるように、バルブ本体４ｂは、コイルバネ４ｄの付勢力によって空気遮断状態の位置に戻る。このとき、バルブ本体４ｂの空気遮断部分４ｂ２が空気流入管２の間に位置している。したがって、この空気遮断部分４ｂ２の遮断部４ｂ６によって、空気流入管２は、再び遮断される。そして、空気遮断部分４ｂ２の逆流部分４ｂ５が空気流入管２の下流部分２ｂとエア抜き通路４ｅの間を連通することによって、空気流入管２の下流部分２ｂからエア抜き通路４ｅを通して外部へ空気を逃がすことが可能である。このとき、エアシリンダ１０の内部に残留する空気は、ピストン部１０ｂがコイルバネ１０ｄによって付勢されることによって第１連通管１３へ押し出され、さらに、分配管１２を介して上記のようにエア抜き通路４ｅから自然排気することが可能である。同様に、インジケータ１１の内部に残留する空気も、ピストン部１１ｃがコイルバネ１１ｄによって付勢されることによって第２連通管１４へ押し出され、さらに、分配管１２を介して上記のようにエア抜き通路４ｅから自然排気することが可能である。
【００７５】
また、バルブ本体４ｂは、図示されないが、非常用の手動操作部を有しているので、手動によって空気遮断状態と空気供給状態との間を移動させることが可能である。これにより、停電時や故障時などにおいてソレノイドコイル４ｃに正常に通電できない場合でも、手動で空気の供給および遮断を切り換えることが可能である。なお、薬品管理者以外の者がバルブ本体４ｂを手動で操作できないように、ソレノイドバルブ４は鍵の付いた容器に保管されているのが好ましい。
【００７６】
認証部５は、隔離領域Ｂに設置され、解錠操作を行う個人の認証を行う。具体的には、認証部５は、暗証番号、非接触カード、磁気カード、ＱＲコード（登録商標）またはバイオメトリックス（例えば、網膜認証や指紋認証など）などを用いて、個人特定のための認証を行う。認証部５によって得られた認証結果は、電気信号Ｓ１によって薬品管理ＰＣへ伝達される。認証部５は、例えば、解錠操作を行う個人が当該個人を特定するための暗証番号や指紋パターンなどの個人情報を入力する入力部と、当該個人情報をあらかじめ記憶した記憶部と、入力部から入力された個人情報と記憶部に記憶された個人情報とを比較してその個人が解錠操作を許される個人であるか否かを判定する判定部とを備えている。
【００７７】
薬品管理ＰＣ６は、隔離領域Ｂに設置されている。薬品管理ＰＣ６は、例えば、解錠許可条件に関する情報（例えば、解錠操作が許される個人、その個人が開閉を許される抽斗８、および解錠可能時間等）が記憶された記憶部と、認証部５によって解錠操作を許された個人であると認証された結果に関する情報を受信する受信部と、受信した認証結果に基づいて、その個人が開閉を許される抽斗８を特定する特定部と、その特定された抽斗８に対応するソレノイドバルブ４に対して開閉制御を行う開閉制御部と、制御用の電気信号Ｓ２を送信する送信部とを備える。薬品管理ＰＣ６は、本考案の制御部に対応する。
【００７８】
また、薬品管理ＰＣ６は、錠機構９の開放時間や開放可能な時刻等の錠機構９の施錠解錠動作に関する種々の条件を設定する条件設定部を備えている。さらに、薬品管理ＰＣ６は、認証部５から送信される認証結果に関する電気信号Ｓ１およびソレノイドバルブ４から送信される開閉状態に関する電気信号Ｓ３などに基づいて、薬品収納庫１の使用履歴の管理を行う履歴管理部を備えている。
【００７９】
なお、薬品管理ＰＣ６は、上記の認証部５の記憶部および判定部を備えていてもよい。その場合、認証部５は、入力部だけを備えていればよいので、認証部５の構成を簡素化することが可能である。
【００８０】
つぎに、上記のように構成された薬品管理システムにおける薬品収納庫１の解錠動作について説明する。
【００８１】
解錠前の薬品収納庫１は、図３〜５に示される状態である。すなわち、錠機構９の回転プレート２６の係合孔２６ａは、抽斗８の突起２２に係合し、錠機構９の施錠状態を維持している。それに対応して、錠機構９におけるエアシリンダ１０のロッド部１０ｃは、回転プレート２６を押圧しない位置まで退避している。また、インジケータ１１の表示体１１ｂは、シリンダ部１１ａ内部に収納され、表示体１１ｂの着色された先端部１１ａ２は外部から見えない位置にあり、施錠表示状態にある。
【００８２】
つぎに、抽斗８を開ける場合には、まず、抽斗８を開けようとする個人は、図１の認証部５に対して、暗証番号の入力などによって個人を認証するために必要な情報を入力する。このとき、認証部５は認証結果に基づく電気信号Ｓ１を薬品管理ＰＣ６へ送信し、薬品管理ＰＣ６は、その認証結果が解錠を許す場合、図６に示されるように、当該薬品管理ＰＣ６の開閉制御部によって、解錠が許された抽斗８に対応するソレノイドバルブ４を開く制御をする。具体的には、ソレノイドコイル４ｃに通電し、バルブ本体４ｂをソレノイドコイル４ｃの駆動力によって空気供給状態の位置に移動させる。これにより、空気供給部分４ｂ１の連通部分４ｂ３が空気流入管２の上流部分２ａと下流部分２ｂとの間を連通させるので、空気流入管２を通してコンプレッサ３から薬品収納庫本体７内部への空気の流通が可能になる。ここで、コンプレッサ３は、例えば、認証部５が解錠操作を許された個人を認証したときに運転を開始するように薬品管理ＰＣによって制御される。なお、コンプレッサ３は、常時運転していてもよい。
【００８３】
薬品収納庫本体７の内部では、空気流入管２を介して導入された空気は、図６〜７に示されるように、分配管１２によって第１連通管１３と第２連通管１４とに分配される。そして、第１連通管１３に分配された空気は、エアシリンダ１０のシリンダ部１０ａの空間１０ｅに導入され、ピストン部１０ｂをコイルバネ１０ｄの付勢力に抗しながら押圧する。これにより、ピストン部１０ｂに固定されたロッド部１０ｃがシリンダ部１０ａの外部へ突出し、回転プレート２６を押し上げる。回転プレート２６が押し上げられることにより、回転プレート２６との係合孔２６ａと抽斗８の突起２２との係合が外れ、錠機構９の回転プレート２６は解錠状態になる。それと同時に、第２連通管１４に分配された空気は、インジケータ１１のシリンダ部１１ａの空間１１ｆに導入され、ピストン部１１ｃをコイルバネ１１ｄの付勢力に抗しながら押圧する。これにより、ピストン部１１ｃに固定された表示体１１ｂの着色された先端部１１ｂ１がシリンダ部１１ａの外部へ突出し、解錠表示状態になる。着色された先端部１１ｂ１は、透明ケース１１ｅを通して外部から視認することが可能になる。これにより、抽斗８を開けようとする個人は、インジケータ１１が解錠を表示している抽斗８を確認し、当該抽斗８を薬品収納庫本体７の収納室１５から前方へ引き出して、抽斗８内部の薬品容器Ｄを取り出すことが可能である。
【００８４】
その後、あらかじめ設定された錠機構９の開放時間が経過したとき、薬品管理ＰＣ６は、錠機構９の回転プレート２６を再び施錠する制御を行う。具体的には、薬品管理ＰＣ６はソレノイドコイル４ｃへの通電を停止し、図８に示されるように、ソレノイドバルブ４を施錠状態に復帰させ、コンプレッサ３から薬品収納庫１への空気の供給を停止する。それとともに、エアシリンダ１０のピストン部１０ｂがコイルバネ１０ｄによって初期状態の位置へ復帰するとともに、インジケータ１１のピストン部１１ｃがコイルバネ１１ｄによって施錠表示状態の位置へ復帰するので、エアシリンダ１０およびインジケータ１１内部の空気は第１および第２連通管１３、１４および分配管１２を介して空気流入管２の下流部分２ｂへ戻される。下流部分２ｂに戻された空気は、ソレノイドバルブ４の逆流部分４ｂ５を介して、エア抜き通路４ｅから外部へ排出される。このとき、回転プレート２６は、エアシリンダ１０のロッド部１０ｃによる押し上げから解除されるので、回転バネ２８の付勢力によって、図３〜４に示される施錠状態に戻り、抽斗８の突起２２に係合することが可能である。また、施錠状態に戻った後、一定時間経過した後には、薬品管理ＰＣ６は、コンプレッサ３の運転を停止するように制御する。
【００８５】
ここで、図９に示されるように、所定の錠開放時間内に抽斗８を閉め忘れた場合には、回転プレート２６が元の施錠状態の位置に復帰することにより、当該回転プレート２６の上方突出部２６ｂが抽斗８の上部後端から突出する突起２２に当接するので、抽斗８を収納室１５の内部に正常に格納できない状態になる。このような正常に格納されていない抽斗８を発見した薬品管理者は薬品管理ＰＣ６を用いて薬品収納庫１の使用履歴を確認することにより、最後に抽斗８を開けた個人を特定することが可能である。
【００８６】
また、本実施形態の薬品管理システムは、非常時に解錠することが可能な構成を備えている。例えば、ソレノイドバルブ４が停電または故障などによって作動しない場合で、かつ、コンプレッサ３からの空気の供給が維持されている場合には、ソレノイドバルブ４のバルブ本体４ｂを手動で操作することにより、薬品収納庫１の解錠および施錠を行うことが可能である。
【００８７】
さらに、ソレノイドバルブ４およびコンプレッサ３が両方作動しない場合には、薬品収納庫本体７に設けられた非常用の開錠操作機構（図示せず）を用いることにより、抽斗８の開錠を行うことが可能である。開錠操作機構は、例えば、薬品収納庫１内部のすべての錠機構９の回転プレート２６を一斉に解錠位置へ移動させることが可能な櫛歯状の部材と、当該櫛歯状の部材を操作する操作部を備え、薬品収納庫１の外部から特定の薬品管理者が所有するキーを用いて操作部を操作できるような構造を有している。このような構成により、薬品管理者は、キーを用いて操作部を操作をすることにより、薬品収納庫１内部のすべての錠機構９の回転プレート２６を一斉に開けることが可能である。
【００８８】
（特徴）
（１）
本実施形態の薬品収納庫１では、抽斗８を施錠および解錠するための錠機構９は、空気圧によって施錠状態と解錠状態とを切り換えることが可能である。具体的には、錠機構９は、薬品収納庫本体７の内部に設けられ、当該薬品収納庫本体７の外部から導入される空気が第１空気供給部３１（すなわち、空気流入管２、分配管１２の導入部１２ａおよび主排出部１２ｂおよび第１連通管１３）を介して錠機構９のエアシリンダ１０に供給され、このエアシリンダ１０の駆動力によって抽斗８の突起２２と係合する回転プレート２６を解錠状態(図７参照)に切り換えることが可能である。このような錠機構９は、従来のソレノイド等の電子部品を用いた構造と比較して腐食しやすい通電部材を使用していないので、薬品から生じる雰囲気の影響を受けにくく耐腐食性が向上し、腐食による動作不良も低減する。しかも、通電部材を使用していないことによって、電気火花が生じることがなく、防爆性も向上する。そのため、錠機構を安価な空圧部品で構成することが可能になり、耐腐食性および防爆性の高い電子部品を用いるよりも製造コストを低減することが可能になる。
【００８９】
しかも、薬品収納庫本体７の外部から導入された空気は、薬品収納庫本体７の内部において第１空気供給部３１から分岐した第２空気供給部３２（すなわち、分配管１２の副排出部１２ｃおよび第２連通管１４）を介してインジケータ１１に供給され、このインジケータ１１は、錠機構９の解錠操作と連動して空気圧を利用して施錠状態から解錠状態に切り換えて解錠状態を表示することが可能である。これにより、薬品収納庫１の内部では一切の電気制御を行わずに、解錠状態の確認を確実に行うことが可能である。よって、利便性が大幅に向上する。
【００９０】
しかも、上記のように第２空気供給部３２が薬品収納庫本体７の内部において第１空気供給部３１から分岐しているので、当該分岐部分である分配管１２の下流側の空気流路、すなわち、第１連通路１３および第２連通路１４は薬品収納庫本体７で外部から保護される。したがって、分配管１２の下流側の第１連通路１３および第２連通路１４が薬品収納庫本体７の外部の障害物等に接触して破損することがなく、錠機構９のエアシリンダ１０およびインジケータ１１を確実に連動させることが可能である。
【００９１】
さらに、第２空気供給部３２が薬品収納庫本体７の内部において第１空気供給部３１から分岐しているので、薬品収納庫１における錠機構９の開閉制御およびインジケータ１１の制御を行う制御側のソレノイドバルブ４が各抽斗８ごとに１つで済む。また、薬品収納庫１の外部に延びる空気流入管２も各抽斗８ごとに１系統で済む。
【００９２】
しかも、第２空気供給部３２が薬品収納庫本体７の内部において第１空気供給部３１から分岐しているので、薬品収納庫本体７の外部において第２空気供給部３２の第２連通路１４を設置するための配管作業が不要になるので、薬品収納庫１を設置する際の作業効率が向上する。
【００９３】
また、第１連通路１３および第２連通路１４は、薬品収納庫本体７で外部から保護されているので、高強度の管を用いる必要がなく、安価かつ柔軟な塩化ビニル等のチューブなどを用いることが可能である。
【００９４】
（２）
本実施形態の薬品収納庫１では、複数の収納室１５の間は仕切り板１６で仕切られているので、ある収納室１５の抽斗８が解錠状態であっても、その収納室１５の中から隣の収納室１５へ手を伸ばして不正に薬品を取り出すことを防ぐことが可能である。
【００９５】
（３）
本実施形態の薬品収納庫１では、仕切り板１６に形成された複数の小穴１７によって、収納室１５間における空気の連通が確保されるので、複数の抽斗８のうちのいずれか１つが開閉することによって、仕切り板１６によって仕切られた収納室１５間においても小穴１７を通して空気が流れ、それにより、収納室１５内部で残留する薬品の雰囲気が複数の収納室１５の開口７ｂのうちのいずれか１つから外部へ排出しやすくなる。
【００９６】
（４）
本実施形態の薬品収納庫１を用いた薬品管理システムでは、薬品収納庫１に第１空気供給部３１の空気流入管２を介して圧縮空気を供給するコンプレッサ３およびソレノイドバルブ４などの電気機器が薬品収納庫１が設置された薬品保管領域Ａから隔離されているので、これらのコンプレッサ３およびソレノイドバルブ４が薬品収納庫１に収納された薬品の雰囲気によって腐食することを防止し、動作不良が生じるおそれを低減することが可能である。
【００９７】
また、ソレノイドバルブ４の開閉によって第１空気供給部３１の空気流入管２における空気の流通を制御することにより、薬品保管領域Ａに設置された薬品収納庫１の錠機構９およびインジケータ１１を遠隔操作することが可能になるので、薬品収納庫１の施錠解錠の管理を薬品保管領域から隔離された隔離領域Ｂから容易に行うことが可能になる。
【００９８】
（５）
しかも、本実施形態の薬品管理システムでは、複数の抽斗８のそれぞれに対応する第１空気供給部３１の空気流入管２が１本ずつ薬品収納庫本体７の外部に延びるように配設されたシンプルな構造であるため、空気流入管２の設置スペースを抑えることが可能である。しかも、各抽斗８の開閉制御は、１本の空気流入管２を介して空気の供給および排気を行うことによって達成することが可能である。
【００９９】
（６）
本実施形態の薬品管理システムでは、認証部５によって解錠操作を行う個人を認証し、その認証結果に基づいて、薬品管理ＰＣ６がソレノイドバルブ４の開閉制御を行うことが可能であり、薬品の不正使用をより確実に防止することが可能である。しかも、これらの認証部５および薬品管理ＰＣ６は薬品収納庫１が設置された薬品保管領域Ａから隔離されているので、当該認証部５および薬品管理ＰＣ６を構成する電子部品が薬品収納庫１に収納された薬品の雰囲気によって腐食して動作不良が生じるおそれを低減することが可能である。
【０１００】
（変形例）
（Ａ）
上記実施形態の薬品収納庫１では、薬品収納庫本体７の収納室１５の開口７ｂに設けられた開閉自在の開閉部材として、抽斗８を例に挙げて説明したが、本考案はこれに限定されるものではなく、他の開閉部材として扉など種々の開閉部材を採用してもよい。
【０１０１】
（Ｂ）
上記実施形態の薬品収納庫１では、薬品収納庫本体７が複数の収納室１５を備えた構造を有している例が示されているが、本考案はこれに限定されるものではなく、少なくとも１つの収納室１５を備えた構造であればよく、１つの収納室１５を備えた構造であっても、上記実施形態のように、遠隔操作が可能な薬品収納庫において、耐腐食性が向上することが可能であり、かつ、扉または抽斗などの開閉部材の解錠状態を外部から容易に確認することが可能である。
【０１０２】
（Ｃ）
上記実施形態の薬品収納庫１では、錠機構９の回転プレート２６（係合部材）に係合する突起２２（図３〜４参照）が、抽斗８の後板８ｂの上端面において上方に突出するように設けられているが、本考案はこれに限定されるものではなく、突起２２は抽斗８の周面から外方へ突出していればよい。したがって、突起２２は、抽斗８の後板８ｂの側面において側方に突出するように設けられるようにしてもよい。その場合、回転プレート２６を水平回転させることにより、当該回転プレート２６を側方に突出する突起２２と係合し、かつ、その係合を解除することが可能である。
【０１０３】
（Ｄ）
上記実施形態の薬品収納庫１では、複数の縦長の抽斗８が水平配置、すなわち、薬品収納庫本体の内部の空間が垂直方向に延びる仕切り板１６によって左右に仕切られることにより、複数の縦長の収納室１５が形成され、それぞれの収納室１５に複数の縦長の抽斗８が水平方向に並んで収納された例が示されているが、本考案はこれに限定されるものではなく、複数の横長の抽斗８が垂直配置された薬品収納庫であってもよい。その場合、薬品収納庫本体の内部の空間が水平方向に延びる仕切り板１６によって上下に仕切られることにより、複数の横長の収納室１５が形成され、それぞれの収納室１５に複数の横長の抽斗８が水平方向に並んで収納されるようにすればよい。
【符号の説明】
【０１０４】
１  薬品収納庫
２  空気流入管
３  コンプレッサ
４  ソレノイドバルブ（電磁弁）
５  認証部
６  薬品管理ＰＣ（制御部）
７  薬品収納庫本体
８  抽斗（開閉部材）
９  錠機構
１０  エアシリンダ
１１  インジケータ
１２  分配管
１３  第１連通管
１４  第２連通管
１５  収納室
１６  仕切板
２６  回転プレート（係合部材）
【図１】
0003181423.tif 000003
【図２】
0003181423.tif 000004
【図３】
0003181423.tif 000005
【図４】
0003181423.tif 000006
【図５】
0003181423.tif 000007
【図６】
0003181423.tif 000008
【図７】
0003181423.tif 000009
【図８】
0003181423.tif 000010
【図９】
0003181423.tif 000011